(57)【要約】本発明は、特にスポーツを行うための靴のソールに関し、靴底の少なくとも一部の面に対応する概略の形状の支持体（３）と、熱成形材料からなる少なくとも１つの第１の層とを備えるソールにおいて、熱成形材料からなる少なくとも１つの第２の層を備え、前記第２の層（６）は、前記第１の層（５）の位置で少なくとも１つの自由領域（７，８，９，１０）を残すように部分的に前記第１の層を被覆し、前記第１の層（５）の構成材料の熱成形温度が、前記第２の層（６）の構成材料の熱成形温度よりも低いことを特徴とする。  本発明は、さらに前記ソールを形成する装置に関する。【選択図】  図１
2010538722.tif 000002
【特許請求の範囲】
【請求項１】
特にスポーツを実践するための靴のソール（１、２）であって、概略の形状が靴底の少なくとも一部の面に対応する支持体（３）と、熱成形材料からなる少なくとも１つの第１の層とを備えるソールにおいて、
熱成形材料からなる少なくとも１つの第２の層を備え、前記第２の層（６）は、前記第１の層（５）の高さで少なくとも１つの自由領域（７，８，９，１０）を残すように部分的に前記第１の層を被覆し、
前記第１の層（５）の構成材料の熱成形温度が、前記第２の層（６）の構成材料の熱成形温度よりも低く、
前記第１の層（５）は、前記ソール（１、２）のうちの足の後部および中央部を支持するための領域に少なくとも広がり、前記ソール（１、２）のほぼ側縁（７）まで広がり、前記第２の層（６）は、前記ソール（１、２）の後部領域に配置されていることを特徴とするソール（１、２）。
【請求項２】
前記ソール（１、２）の後部領域において、前記第２の層（６）は、少なくとも１つの側面領域を残すように前記第１の層（５）の内側に配置されていることを特徴とする請求項１に記載のソール（１、２）。
【請求項３】
前記第２の層（６）は、前記第１の層（５）の上に配置されることを特徴とする請求項１または２に記載のソール（１、２）。
【請求項４】
前記第１の層（５）の構成材料の熱成形温度は６０〜７０℃であることを特徴とする請求項１〜３のいずれか１項に記載のソール（１、２）。
【請求項５】
前記第２の層（６）の構成材料の熱成形温度は７５〜８０℃であることを特徴とする請求項１〜４のいずれか１項に記載のソール（１、２）。
【請求項６】
前記第１の層（５）はポリエステル複合樹脂から構成されることを特徴とする請求項１〜５のいずれか１項に記載のソール（１、２）。
【請求項７】
前記第２の層（６）は、ポリカプロラクトン、ポリアミド、およびポリエステルグリッドを含む複合樹脂から構成されることを特徴とする請求項１〜６のいずれか１項に記載のソール（１、２）。
【請求項８】
請求項１〜７のいずれか１項に記載のソール（１、２）の成形装置（１５）であって、
下部（１７）と上部（１８）を有するケーソン（１６）と、
前記ケーソンの下部（１７）に配置されて前記第１の層（５）の熱成形温度に対応する温度に前記ソール（１、２）を加熱するように構成された加熱手段（２０）と、
前記加熱手段（２０）の上に配置された少なくとも１つのソール（１、２）の支持手段（１９、２１、２２）と
を備え、
前記支持手段は、軟化させる第１の層（５）の少なくとも自由領域（７、９）に面して配置された少なくとも１つの開口部（２６）を備えることを特徴とする装置。
【請求項９】
前記少なくとも１つのソール（１、２）の支持手段（１９、２１、２２）に配置されたソール（１、２）の存在を検知し、前記ソール（１、２）の存在が検知されたときに前記加熱手段（２０）を作動可能にするように構成された検知手段（２７、２８）を備えることを特徴とする請求項８に記載の装置（１５）。
【請求項１０】
前記検知手段（２７、２８）は、少なくとも１つの連結パレット（２７、２８）から構成され、前記連結パレットは、ソール（１、２）が前記連結パレット（２７、２８）に配置されたときに前記ソール後部を支持し、接点を作動するように構成されていることを特徴とする請求項９に記載の装置（１５）。
【請求項１１】
２個のソール（１、２）を加熱するように構成され、前記検知手段（２７、２８）は、各ソール（１、２）に対して１つずつ、２個のパレット（２７、２８）を備えることを特徴とする請求項９または１０に記載の装置（１５）。
【請求項１２】
前記ケーソン（１６）に連結式に取り付けられて開放位置と閉鎖位置との間で移動するカバー（２９）を備える保護手段を備え、前記閉鎖位置で前記加熱手段（２０）が作動可能にされることを特徴とする請求項８〜１１のいずれか１項に記載の装置（１５）。
【請求項１３】
前記加熱手段（２０）は、少なくとも１つのランプ（２０）を含むことを特徴とする請求項８〜１２のいずれか１項に記載の装置（１５）。
【請求項１４】
２個のソール（１、２）を加熱するように構成され、前記加熱手段（２０）は、１個のランプ（２０）が前記各ソール（１、２）の下に配置されて、１個のランプ（２０）が２個のソール（１、２）の内縁に配置されるように平行に設けられた、細長い形状の３個のランプ（２０）を備えることを特徴とする請求項１３に記載の装置（１５）。
【請求項１５】
２個のソール（１、２）を加熱するように構成され、前記支持手段（１９、２１、２２）は、Ｖ字型をなす２個の翼（２１、２２）を有するプレート（１９）を備えることを特徴とする請求項８〜１４のいずれか１項に記載の装置（１５）。
【発明の詳細な説明】
【技術分野】
【０００１】
本発明は、特にスポーツを実践するための靴のソールに関する。本発明は、さらに、このソールの成形装置に関する。
【背景技術】
【０００２】
徒競走、ゴルフまたはスキー等のスポーツを行う場合、足の特定の領域を使うことになる。これらの特定の領域の働きは、このスポーツに応じて及ぼされる動きに関して足が耐えられる多少とも大きな圧力および応力により特徴づけられる。
【０００３】
従来から、製造業者は、全体の形状が靴底の少なくとも一部の面に対応する支持体を含み、熱成形材料を含む、特にスポーツ実践用の靴のソールを生産している。
【０００４】
熱成形材料は、高温時に可塑性を有する材料である。この材料は、所定の形状に成形され、冷却時にこの形状を保持することになる。
【０００５】
各層は、生産時に溶融されて、標準的な加工ソールを構成する。
【０００６】
このようなソールの構造および形状は、特定のスポーツの実践に関して足が及ぼす動きに応じて設計される。快適性を増し、また使用者の能力を向上させるために、ソールは、足の幾つかの特定部分を安定化させ、衝撃を緩和し、あるいは押し出す領域を有する。
【０００７】
足は、骨、筋肉、および関節部の集合を含む複雑な構造である。特に、足は、一連のアーチで構成されている。この一連のアーチは、足の筋肉と靭帯とにより補強され、通常、土踏まずと呼ばれるドーム形を形成する。土踏まずは、個人差のある一定の体積、大きさ、または位置を有しうる。従って、一人ひとりの足の形態は異なる。
【０００８】
このため、量産されるこうしたソールは、個人の足または様々な形態に適合することができないという重大な欠点を有する。
【発明の概要】
【０００９】
本発明は、特定の領域で足を保持する品質と衝撃を緩和する品質を保ちながら足の形状に合わせるように正確な位置で変形可能な、工業的に製造される標準ソールを提案することによって、上記の欠点を解消するものである。
【００１０】
このため、本発明は、全体の形状が靴底の少なくとも一部の面に対応する支持体と、熱成形材料からなる少なくとも１つの第１の層とを備えるソールに関し、このソールは、第１の層を第１の層の位置で少なくとも１つの自由領域を残すように部分的に被覆する、熱成形材料からなる少なくとも１つの第２の層を備え、第１の層の構成材料の熱成形温度が、第２の層の構成材料の熱成形温度よりも低く、第１の層は、ソールのうちの足の後部および中央部を支持するための領域に少なくとも広がり、ソールのほぼ側縁まで広がり、第２の層は、ソールの後部領域に配置されることを特徴とする。
【００１１】
本発明に係る構成により、第１の層の熱成形温度でソールを加熱し、これによって、使用者の足の正確な形状にソールを適合させることができる。この場合、この層は変形可能であるが、これよりも高い熱成形温度を有する最終層はその形状を保つ。
【００１２】
さらに、第２の層がソールの後部領域にのみ配置されることによって、足の前部の敏感な部分を残しながら、最もカスタマイズが必要なソール部分を適合させることができる。
【００１３】
好適には、ソールの後部領域で、少なくとも１つの側面領域を残すように第２の層が第１の層の内側に配置されている。
【００１４】
この構成によれば、かかと領域では安定化特性および衝撃緩和特性によりソールの初期構造を保ちながら、足の中央、土踏まず、および側縁に対応する領域ではソールの成形を行うことができる。
【００１５】
本発明の１つの特徴によれば、第２の層は第１の層の上に配置される。
【００１６】
有利には、第１の層を構成する材料の熱成形温度は６０〜７０℃である。
【００１７】
好適には、第１の層はポリエステル複合樹脂から構成される。
【００１８】
本発明の特徴によれば、第２の層は、ポリカプロラクトン、ポリアミド、およびポリエステルグリッドを含む複合樹脂から構成される。
【００１９】
本発明は、また、このようなソールの成形装置に関し、この装置は、下部と上部を有するケーソンと、ケーソンの下部に配置されて第１の層の熱成形温度に対応する温度にソールを加熱するように構成された加熱手段と、加熱手段の上に配置された少なくとも１つのソールの支持手段とを備え、支持手段は、軟化させる第１の層の少なくとも自由領域に面して配置された少なくとも１つの開口部を備える。
【００２０】
この装置は、足の特定の形態にソールを適合させるようにソールを加熱することができる。
【００２１】
有利には、装置は、少なくとも１つのソールの支持手段に配置されたソールの存在を検知し、ソールの存在が検知されたときに加熱手段を作動可能にするように構成された検知手段を備える。
【００２２】
好適には、装置の検知手段は、少なくとも１つの連結パレットから構成され、このパレットは、ソールが連結パレットに配置されたときにソール後部を支持し、接点を作動するように構成されている。
【００２３】
有利には、検知手段は、各ソールに対して１つずつ、２個のパレットを含む。
【００２４】
本発明の１つの特徴によれば、装置は、ケーソンに連結式に取り付けられて開放位置と閉鎖位置との間で移動するカバーを備える保護手段を備え、閉鎖位置で加熱手段が作動可能にされる。
【００２５】
装置に２個のソールを設置すると、各パレットの接点を作動させることができる。２個の接点の作動と、閉鎖位置へのカバーの位置決めとによって、加熱手段が作動可能にされる。
【００２６】
本発明の１つの特徴によれば、加熱手段は少なくとも１つのランプを備える。
【００２７】
この特徴により、ランプの数と照明時間とに応じて使用者に対して容易に加熱力を変えることができる。
【００２８】
有利には、加熱手段は、１個のランプが各ソールの下に配置されて、１個のランプが２個のソールの内縁に配置されるように平行に置かれた、細長い形状の３個のランプを含んでいる。
【００２９】
これらの構成により、加熱手段の最適作動が可能になる。
【００３０】
本発明の１つの特徴によれば、ソールの支持手段が、Ｖ字型をなす２個の翼を有するプレートを備える。
【００３１】
いずれにしても、本発明は、限定的ではなく例として、このソールとこれの成形装置の実施形態を示す添付の概略図面を参照しながら、以下の説明を読めば、一層理解されるであろう。
【図面の簡単な説明】
【００３２】
【図１】図１は、ソールの下面図である。
【図２】図２は、図１のII−II線による横断面図である。
【図３】図３は、この装置を概略的に示す図である。
【図４】図４は、この装置の横断面図である。
【発明を実施するための形態】
【００３３】
図１は、靴のソール１を示す。ソール１は、靴に挿入されるように構成されている。ソール１は、全体の形状が靴底の面に対応する支持体３を含む。
【００３４】
図２に示すように、ソール１は、熱成形材料からなる第１の層５と第２の層６とを含む。第１の層５は、支持体３上に配置されている。
【００３５】
第１の層５は、足の後部および中央部を支持するための支持体３の領域にほぼ広がっており、また、支持体３のほぼ側縁７まで広がっている。
【００３６】
第２の層６は、支持体３の後部で第１の層５の上に配置されている。第２の層６は、第１の層５の内側に配置されて、第１の層５において、支持体３の側縁７、後縁８、中央領域９およびヒールの中央１０を含む領域を残すようにされている。
【００３７】
第１の層５および第２の層６は、複合樹脂からなる熱成形材料を用いて構成される。第１の層５の複合樹脂はポリエステルである。ポリエステル樹脂の熱成形温度は６５℃である。第２の層６の複合樹脂は、ポリカプロラクトン、ポリアミド、およびポリエステルグリッドから構成される。第２の層６の熱成形温度は７５〜８０℃である。
【００３８】
図３に示すように、装置１５は、ソール１を成形するために使用される。
【００３９】
装置１５は、下部１７および上部１８を含む、ほぼ平行六面体のケーソン１６の形状を呈する。ケーソン１６の下部１７は、３個のランプ２０が底に平行配置された容積を画定する。この３個のランプは、長手方向に配置されており、１個は中央に、他の対称な２個は第１のランプの両側に置かれる。３個のランプは、１個当たりの出力が５００ワットのハロゲンランプであり、全体で１５００ワットの出力を供給可能である。
【００４０】
下部１７と上部１８は、２個の翼２１、２２を含む支持プレート１９により分離されており、２個の翼は横断面からみてＶ字型をなし、その先端は下向きでケーソンの長手方向中央面に配置されている。２個の翼２１、２２は、２個のソール用の支持面を形成する。支持プレートは、その中央部に開口部２６を有し、この開口部に面して配置されるソールの領域の好適な加熱を可能にする。開口部２６の前方でＶ字型の先端の位置には、上向きの長手方向中央リブ２４が設けられている。開口部２６の後方には円弧形の２個のリブ２５が設けられ、この円弧形のリブは、長手方向の中央部分をそれぞれ含み、この中央部分が、外側に向いた横方向部分に接続されている。これらのリブは、支持プレートの２個の翼２１、２２に２個のソールを位置決めする役割をする。
【００４１】
ケーソンの上部は、支持プレート１９の上部で開口部２６の後方に、装置に配置される２個のソールの後部領域を支持するための２個の連結パレット２７、２８を備える。各パレットは、ランプの供給回路に配置された電気接点（図示せず）に結合されており、この電気接点は、パレットの上に載せられるソールの重量によってパレットにより閉じられるように構成されている。実際には、２個のパレットに結合される接点は、直列接続されている。
【００４２】
ケーソンの上面は、これの縁３０の１つに沿って連結式に取り付けられるガラス保護カバー２９により閉じられる。カバー２９は、ランプの供給回路に取り付けられた電気接点に同様に結合され、カバーの閉鎖時だけ給電を可能にするようにしている。
【００４３】
ランプの給電制御は、第１の層５の軟化温度と、軟化させる質量とに応じて、予め決められた時間加熱を行うことを可能にするタイミング装置を含むことができる。加熱時間は、たとえば１０秒とすることができる。
【００４４】
この装置は次のように使用される。
【００４５】
工場で標準加工され、使用者の足の寸法に合わせた一組のソールについて、装置のカバー２９を開けて、これらの２個のソールのそれぞれの支持体２１、２２とパレット２７、２８とに位置決めする。パレットに結合された接点が閉鎖位置で作動される。カバー２９を再び閉め、カバーは、結合されている接点を閉鎖位置で作動する。スイッチを１回押すと、所定の時間だけ加熱サイクルが開始されて、熱成形材料からなる第１の層５を軟化するが、足の安定化および保持を行う後部領域に配置された第２の層６は軟化しない。なお、ランプの位置とプレート１９の支持体２１、２２の傾斜とによって、形状を適合させる領域、特に土踏まずの領域で均質な加熱が行われる。
【００４６】
第１の層５を軟化した後、ソールを装置から取り出して、使用者の靴か、または成形支持体に置いてから、使用者が、部分的に可塑性を有する状態にあるソールを足で押して、２つのソールを自分の足の形に加工する。冷却後、ソールは、与えられた形状を保持する。
【００４７】
当然のことながら、本発明は、例として説明した上記のような靴のソールと、このソールの成形装置の実施形態だけに限定されるものではなく、その反対に、あらゆる変形実施形態を包含する。
【図１】
2010538722.tif 000003
【図２】
2010538722.tif 000004
【図３】
2010538722.tif 000005
【図４】
2010538722.tif 000006
【国際調査報告】
2010538722.tif 000007
2010538722.tif 000008
2010538722.tif 000009
2010538722.tif 000010
2010538722.tif 000011
2010538722.tif 000012